(57)【要約】【課題】            偏光板の性質を利用した偏光板の利用方法、並びに偏光板を用いた建造物や外構物等の構築物、覗き見防止装置、監視装置、不思議トンネル、ペン立て、身飾品、及びゲーム玩具、抽斗、入れ物等を提供する。【解決手段】  構築物と外構物の間、或は構築物と構築物の間、さらには構築物自体の内部や外部に、偏光板を設けることにより、前記偏光板で仕切られた間の空間は該偏光板を通して見ることができるが、前記偏光板が互いに重なった側の空間は互いの偏光板を通じて透視できないように構成する。さらに、構築物或は外構物が外側から見える部分に周方向に閉じられた空間部を設け、この空間部を構成する床部と両側壁、及び天井の各全面或は少なくとも対向する２面に、偏光軸を９０°偏位させた偏光板を取り付けることにより、前記空間部を外側から見た際に、前記空間部内に虚の隔壁が見えるように構成する。【選択図】          図１
2006037707.tif 000002
【特許請求の範囲】
【請求項１】
構築物と外構物の間、或は構築物と構築物の間、さらには構築物自体の内部や外部に、偏光軸を９０°偏位させた偏光板を離間対向して設けることにより、前記偏光板で仕切られた間の空間は該偏光板を通して見ることができるが、前記偏光板が互いに重なった側の空間は互いの偏光板を通じて透視できないように構成することを特徴とする、偏光板の利用方法。
【請求項２】
構築物或は外構物が外側から見える部分に周方向に閉じられた空間部を設け、この空間部を構成する床部と両側壁、及び天井の各全面或は少なくとも水平方向に対向する２面に、偏光軸を９０°偏位させた偏光板を取り付けることにより、前記空間部を外側から見た際に、前記空間部内に虚の隔壁が見えるように構成することを特徴とする、偏光板の利用方法。
【請求項３】
床部と両側壁及び天井から成るトンネル状の構築物のうち、前記両側壁もしくは天井の少なくとも一つの面に鏡を用いるとともに、前記床部と前記両側壁及び前記天井に偏光軸を９０°偏位させた偏光板を設置することにより、前記構築物内を通過する人にも前記鏡に映る虚の隔壁が見えるように構成することを特徴とする、偏光板の利用方法。
【請求項４】
前記構築物と外構物が、庭を挟んで対向設置した人の居住用の住宅と塀であることを特徴とする、請求項１に記載の偏光板の利用方法。
【請求項５】
前記構築物自体の内部が透明板を用いた壁部や窓によって仕切られた複数の部屋から成り、各部屋の前記透明板に偏光軸を９０°偏位させた偏光板を取り付けることを特徴とする、請求項１に記載の偏光板の利用方法。
【請求項６】
構築物の内部に設けた床部、両側壁、及び天井から成る廊下、部屋、或は通路等の、互いに対向する少なくとも２つの面に透明板を用い、この各透明板の周方向に偏光軸を揃えた偏光板を長手方向に互いに偏光軸を９０°偏位させて取り付けることにより、前記廊下、部屋、或は通路等を外側から見る人に、該廊下、部屋、或は通路内に虚の隔壁が見えるように構成することを特徴とする、偏光板の利用方法。
【請求項７】
大きな構築物或は互いに仕切りを共通にして設けた複数の構築物の、互いに対向する少なくとも２つの面に透明板を用い、この各透明板の周方向に偏光軸を揃えた偏光板を長手方向に互いに偏光軸を９０°偏位させて用いることにより、外から見る人に前記構築物内部に虚の隔壁が見えるように構成することを特徴とする、偏光板の利用方法。
【請求項８】
互いに偏光軸を９０°偏位させた偏光板を離間対向して設置した透明板へ取り付けることにより、前記偏光板が重なった側が見えないように構成したことを特徴とする、構築物。
【請求項９】
床部と、両側壁、及び天井から成る通路或は部屋に、互いに偏光軸を９０°偏位させた偏光板を設置することにより、外側から見る人に前記通路或は部屋の内部に虚の隔壁が見えるように構成したことを特徴とする、構築物。
【請求項１０】
広い空間を有する部屋の内部を透明板で構成した複数の隔壁で互いに出入り可能に仕切り、この隔壁に偏光軸を９０°偏位させた偏光板を設けることにより、前記部屋の内部にその外側からは透視できない空間を現出させるように構成したことを特徴とする、構築物。
【請求項１１】
前記隔壁を可動式のものとしたことを特徴とする、請求項８又は１０のいずれかに記載の構築物。
【請求項１２】
構築物の階上の部分の窓際や廊下の手摺と、階下との間に、光が偏光作用を起こす角度をつけて一対の透明板を設け、この各透明板に互いに偏光軸を９０°偏位させた偏光板を離間対向させて設けたことを特徴とする、覗き見防止装置。
【請求項１３】
部屋の外側に面した部分に、透明板で構成した窓や壁部を設け、この窓や壁部を構成する前記透明板に偏光軸を９０°偏位させた偏光板を取り付けることにより、前記部屋内部に入る外光や、熱の全部あるいは一部をカットするように構成したことを特徴とする、構築物。
【請求項１４】
部屋の外部に面した部分と庇の部分を透明板で構成し、これらの各透明板に互いに偏光軸を９０°偏位させた偏光板を取り付けることにより、前記部屋内部から外部を見ることができるが、外光と、熱が前記部屋内部に入ることをカットできるように構成したことを特徴とする、構築物。
【請求項１５】
構築物の各部屋の窓際に設けた透明板を用いた窓、戸、壁部等の仕切りと、各部屋の外部の仕切りとして用いられるリブガラス板との間に、互いに偏光軸を９０°偏位させた偏光板を設けたことを特徴とする、覗き見防止装置。
【請求項１６】
廊下、階段、及び特定の部屋を挟んで対置する部屋が、前記廊下、階段、及び特定の部屋と対向する側に、透明板を用いた窓、戸、壁部等の仕切りを設け、この各透明板に互いに偏光軸を９０°偏位させた偏光板を取り付けたことを特徴とする、監視装置。
【請求項１７】
床部と両側壁と天井から成る通路の前記床部を黒色に構成し、前記一方の側壁を透明板で構成すると共に、前記もう一方の側壁と天井を鏡で構成し、前記透明板と前記もう一方の側壁と天井の各鏡の部分に偏光軸を９０°偏位させた偏光板を設けることにより、前記通路内部を通過する人にも前記鏡に映る虚の隔壁が見えるように構成したことを特徴とする、不思議トンネル。
【請求項１８】
床部と両側壁と天井から成る通路の前記床部を黒色に構成し、前記一方の側壁を透明板で構成すると共に、前記もう一方の側壁と天井を半透明板で構成し、前記もう一方の側壁の後部に光源を設け、前記一方の側壁を構成する透明板、及び前記もう一方の側壁と前記天井を構成する半透明板の部分に偏光軸を９０°偏位させた偏光板を設置することにより、前記透明板の外側から見た時に前記通路内部に虚の隔壁がよりはっきりと見えるように構成したことを特徴とする、不思議トンネル。
【請求項１９】
底板を有する上部開放の角筒状のケース体の少なくとも各側板を構成する部分を透明板で構成し、この透明板に互いに偏光軸を上下方向に９０°偏位させた偏光板を設けることにより、前記ケース体内部に虚の隔壁が見えるように構成したことを特徴とする、ペン立て。
【請求項２０】
透明板で構成した角筒状のケース体の表面に、互いに偏光軸を上下方向に９０°偏位させた偏光板を設けることにより、前記ケース体内部に虚の隔壁が見えるように構成したことを特徴とする、身飾品。
【請求項２１】
透明板或は透明板と鏡で構成した密閉構造のケース内に透明板から成る隔板で構成した球体の通路を設け、前記透明板或は鏡と前記隔板に偏光軸を９０°偏位させた偏光板を取り付けることにより前記球体の通路に虚の隔壁を設けたことを特徴とする、ゲーム玩具。
【請求項２２】
部屋を外部から仕切る仕切部を、単数または複数の固定偏光板と、この固定偏光板に重ねられた可動偏光板とで構成し、この可動偏光板を回転可能に構成したことを特徴とする、構築物。
【請求項２３】
部屋を外部から仕切る仕切部を、所定間隔を空けて対置させたところの互いに偏光軸を９０℃づつ偏位させた一対の偏光板と、この一対の偏光板の間に設置した偏光軸を４５°とした偏光板或は透明プラスチック板とで構成し、前記偏光軸を４５°偏位させた偏光板或は透明プラスチック板を前記一対の偏光板よりも小型としたことを特徴とする、構築物。
【請求項２４】
前記偏光軸を４５°偏位させた偏光板或は透明プラスチック板を可動式としたことを特徴とする、請求項２３に記載の構築物。
【請求項２５】
部屋を外部から仕切る仕切部を、所定間隔を空けて対置させたところの互いに偏光軸を９０℃づつ偏位させた一対の偏光板と、この一対の偏光板の間に設置した色付きの透明プラスチックの板のような光の偏光効果を妨げない中間部材とで構成したことを特徴とする、構築物。
【請求項２６】
部屋を外部から仕切る仕切部に偏光板を設け、前記部屋の中に設置したショウケースや展示棚を、前記偏光板と偏光軸を９０°偏位させた偏光板で覆ったことを特徴とする、構築物。
【請求項２７】
透明の材料で構成した抽斗の外箱と内箱を互いに偏光軸を９０°偏位させた偏光板で構成したことを特徴とする、抽斗。
【請求項２８】
部屋の内部に偏光軸を異ならせた複数のフィルム状の偏光シートを吊り下げることにより、ルーム内の特定の場所から見える空間と、見えない空間を形成させたことを特徴とする、構築物。
【請求項２９】
部屋を外部から仕切る仕切部に偏光板を設置し、前記部屋の中に前記偏光板と偏光軸を同一とする偏光板と偏光軸を異ならせた偏光板で囲った単数または複数の小部屋を設けたことを特徴とする、構築物。
【請求項３０】
広い部屋の外側に面した仕切部に偏光板を用いると共に、この広い部屋の中に浴室を設け、この浴室の広い部屋に面した側の仕切部を前記偏光板と偏光軸を９０°偏位させた偏光板で構成することにより、前記浴室から前記広い部屋の中を見ることができ、前記広い部屋からは前記浴室と外を見ることができるが、外からは前記浴室内を見ることができないように構成したことを特徴とする、構築物。
【請求項３１】
部屋の外側に面して浴室を作り、この浴室に面してベランダや坪庭を作り、このベランダや坪庭に外側から仕切る仕切部を設け、前記浴室の前記ベランダや坪庭に面した仕切部と前記ベランダや坪庭の仕切部に偏光軸を９０°偏位させた偏光板を取り付けたことを特徴とする、構築物。
【請求項３２】
透明の筒状を呈した容器の外周に偏光軸を異ならせた偏光板を複数段に分けて囲設させ、光の偏光作用により内部に複数の虚の隔壁を生じさせるように構成したことを特徴とする、入れ物。
【請求項３３】
請求項３２に記載の入れ物を構成するに当たり、当該入れ物を複数個に分けて互いに軸方向へ重ね合わせることにより、虚の隔壁を生じさせるように構成したことを特徴とする、入れ物。
【請求項３４】
外筒とこの外筒内に収納される内筒とで構成され、前記外筒と前記内筒のそれぞれの外周には、偏光軸を９０°偏位させた偏光板を取り付けたことを特徴とする、入れ物。
【発明の詳細な説明】
【技術分野】
【０００１】
この発明は、偏光板の利用方法、並びに偏光板を用いて成る構築物、並びに覗き見防止装置、並びに監視装置、並びに不思議トンネル、並びにペン立て、並びに身飾品、並びにゲーム玩具、並びに抽斗、並びに入れ物に関する。
【背景技術】
【０００２】
光は進行方向と直角に電磁場が振動する横波である。偏光板はこの光の振動の一方向の成分のみを通過させる性質を有しているので、複数枚の偏光板をその偏光軸を異ならせて用いることにより、偏光板を通して物体が見えたり、見えなかったり、或はかかる偏光板で囲った空間に虚の隔壁が生じたりすることが知られている。
【０００３】
このような公知技術として以下の特許文献に記載されたものが公知である。
【０００４】
【特許文献１】特開平５−４４１９９号公開特許公報
【０００５】
偏光板は上述した公知技術以外に液晶表示装置に広く用いられているが、これら以外のものには余り利用されていない。とくに構築物や外構物のような構築物については皆無である。
【発明の開示】
【発明が解決しようとする課題】
【０００６】
そこで、この発明の目的は、偏光板の上記性質を利用した偏光板の利用方法、並びに偏光板を用いた建造物その他の構築物や外構物、覗き見防止装置、監視装置、不思議トンネル、ペン立て、身飾品、ゲーム玩具、並びに抽斗、並びに入れ物等を提供せんとするにある。
【課題を解決するための手段】
【０００７】
上述した目的を達成するためにこの発明は、構築物と外構物の間、或は構築物と構築物の間、さらには構築物自体の内部や外部に、偏光軸を９０°偏位させた偏光板を離間対向して設けることにより、前記偏光板で仕切られた間の空間は該偏光板を通して見ることができるが、前記偏光板が互いに重なった側の空間は互いの偏光板を通じて透視できないように構成することを特徴とする。
【０００８】
この発明はまた、構築物或は外構物が外側から見える部分に周方向に閉じられた空間部を設け、この空間部を構成する床部と両側壁、及び天井の各全面或は少なくとも対向する２面に、偏光軸を９０°偏位させた偏光板を取り付けることにより、前記空間部を外側から見た際に、前記空間部内に虚の隔壁が見えるように構成することを特徴とする。
【０００９】
この発明はさらに、床部と両側壁及び天井から成るトンネル状の構築物のうち、前記両側壁もしくは天井の少なくとも一つの面に鏡を用いるとともに、前記床部と前記両側壁及び前記天井に偏光軸を９０°偏位させた偏光板を設置することにより、前記構築物内を通過する人にも前記鏡に映る虚の隔壁が見えるように構成することを特徴とする。
【００１０】
その際にこの発明は、前記構築物と外構物を、庭を挟んで対向設置した人の居住用の住宅と塀とするものである。
【００１１】
この発明はさらに、前記構築物自体の内部を透明板を用いた壁部や窓によって仕切られた複数の部屋から成り、各部屋の前記透明板に偏光軸を９０°偏位させた偏光板を取り付けるものである。
【００１２】
この発明はまた、構築物の内部に設けた床部、両側壁、及び天井から成る廊下、部屋、或は通路等の、互いに対向する少なくとも２つの面に透明板を用い、この各透明板の周方向に偏光軸を揃えた偏光板を長手方向に互いに偏光軸を９０°偏位させて取り付けることにより、前記廊下、部屋、或は通路等を外側から見る人に該廊下、部屋、或は通路内に虚の隔壁が見えるように構成することを特徴とする。
【００１３】
この発明はさらに、大きな構築物或は互いに仕切りを共通にして設けた複数の構築物の、互いに対向する少なくとも２つの面に透明板を用い、この各透明板の周方向に偏光軸を揃えた偏光板を長手方向に互いに偏光軸を９０°偏位させて用いることにより、外から見る人に前記構築物内部に虚の隔壁が見えるように構成することを特徴とする。
【００１４】
この発明はさらに、構築物に互いに偏光軸を９０°偏位させた偏光板を離間対向して設置することにより、前記偏光板が重なった側が見えないように構成したことを特徴とする。
【００１５】
この発明はさらに、構築物の、床部と、両側壁、及び天井から成る通路或は部屋に互いに偏光軸を９０°偏位させた偏光板を設置することにより、外側から見る人に前記通路或は部屋の内部に虚の隔壁が見えるように構成したことを特徴とする。
【００１６】
この発明はさらに、広い空間を有する部屋の内部を透明板で構成した複数の隔壁で互いに出入り可能に仕切り、この隔壁に偏光軸を９０°偏位させた偏光板を設けることにより、前記部屋の内部にその外側からは透視できない空間を現出させるように構成したことを特徴とする。
【００１７】
その際にこの発明は、前記隔壁を可動式のものとすることができる。
【００１８】
この発明はさらに、構築物の階上の部分の窓際や廊下の手摺と、階下との間に、互いに偏光軸を９０°偏位させた偏光板を離間対向させて設けたことを特徴とする。
【００１９】
この発明はさらに、部屋の外側に面した部分に、透明板で構成した窓や隔壁を設け、この窓や壁部を構成する前記透明板に偏光軸を９０°偏位させた偏光板を取り付けることにより、前記部屋内部に入る外光や熱の全部あるいは一部をカットするように構成したことを特徴とする。
【００２０】
この発明はさらに、部屋の外部に面した部分と庇の部分を透明板で構成し、これらの各透明板に互いに偏光軸を９０°偏位させた偏光板を取り付けることにより、前記部屋内部から外部を見ることができるが、外光や熱が前記部屋内部に入ることをカットできるように構成したことを特徴とする。
【００２１】
この発明はさらに、構築物の各部屋の窓際と各部屋の外部の仕切りとして用いられるリブガラス板との間に、互いに偏光軸を９０°偏位させた偏光板を設けたことを特徴とする。
【００２２】
この発明はさらに、廊下、階段、及び特定の部屋を挟んで対置する部屋が、前記廊下、階段、及び特定の部屋と対向する側に、互いに偏光軸を９０°偏位させた偏光板を取り付けたことを特徴とする。
【００２３】
この発明はさらに、床部と両側壁と天井から成る通路の前記床部を黒色に構成し、前記一方の側壁を透明板で構成すると共に、前記もう一方の側壁と天井を鏡で構成し、前記透明板と前記もう一方の側壁と天井の各鏡の部分に偏光軸を９０°偏位させた偏光板を設けることにより、前記通路内部を通過する人にも前記鏡に映る虚の隔壁が見えるようにして不思議トンネルを構成したことを特徴とする。
【００２４】
その際にこの発明は、床部と両側壁と天井から成る通路の前記床部を黒色に構成し、前記一方の側壁を透明板で構成すると共に、前記もう一方の側壁と天井を半透明板で構成し、前記もう一方の側壁の後部に光源を設け、前記一方の側壁を構成する透明板、及び前記もう一方の側壁と天井を構成する半透明板の各部分に偏光軸を９０°偏位させた偏光板を貼着することにより、前記透明板の外側から見た時に前記通路内部に虚の隔壁がよりはっきりと見えるようにして不思議トンネルを構成したことを特徴とする。
【００２５】
この発明はまた、ペン立てを、底板を有する上部開放の角筒状のケース体の少なくとも各側板を構成する部分を透明板で構成し、この透明板に互いに偏光軸を上下方向に９０°偏位させた偏光板を設けることにより、前記ケース体内部に虚の隔壁が見えるように構成したことを特徴とする。
【００２６】
この発明は、身飾品を、透明板で構成した角筒状のケース体の表面に、互いに偏光軸を上下方向に９０°偏位させた偏光板を設けることにより、前記ケース体内部に虚の隔壁が見えるように構成したことを特徴とする。
【００２７】
この発明は、透明板或は透明板と鏡で構成したゲーム玩具の密閉構造のケース内に、透明板から成る隔板で構成した球体の通路を設け、前記透明板或は鏡を前記隔板に偏光軸を９０°偏位させた偏光板を取り付けることにより、前記球体の通路に虚の隔壁を設けたことを特徴とする。
【００２８】
この発明はさらに、部屋を外部から仕切る仕切部を、単数または複数の固定偏光板と、この固定偏光板に重ねられた可動偏光板とで構成し、この可動偏光板を回転可能に構成したことを特徴とする。
【００２９】
この発明はさらに、部屋を外部から仕切る仕切部を、所定間隔を空けて対置させたところの互いに偏光軸を９０℃づつ偏位させた一対の偏光板と、この一対の偏光板の間に設置した偏光軸を４５°偏位させた偏光板或は透明プラスチック板とで構成し、前記偏光軸を４５°偏位させた偏光板或は透明プラスチック板を前記一対の偏光板よりも小型としたことを特徴とする。
【００３０】
この発明はさらに、前記偏光軸を４５°とした偏光板或は透明プラスチック板を可動式としたことを特徴とする。
【００３１】
この発明はさらに、部屋を外部から仕切る仕切部を、所定間隔を空けて対置させたところの互いに偏光軸を９０℃づつ偏位させた一対の偏光板と、この一対の偏光板の間に設置した色付きの透明プラスチックの板のような光の偏光効果を妨げない中間部材とで構成したことを特徴とする。
【００３２】
この発明はさらに、部屋を外部から仕切る仕切部に偏光板を設け、前記部屋の中に設置したショウケースや展示棚を、前記偏光板と偏光軸を９０°偏位させた偏光板で覆ったことを特徴とする。
【００３３】
この発明はさらに、抽斗の外箱と内箱を互いに偏光軸を９０°偏位させた偏光板で構成したことを特徴とする。
【００３４】
この発明はさらに、部屋の内部に偏光軸を異ならせた複数のフィルム状の偏光シートを吊り下げることにより、ルーム内の特定の場所から見える空間と、見えない空間を形成させたことを特徴とする。
【００３５】
この発明はさらに、部屋を外部から仕切る仕切部に偏光板を設置し、前記部屋の中に前記偏光板と偏光軸を同一とする偏光板と偏光軸を異ならせた偏光板で囲った単数または複数の小部屋を設けたことを特徴とする。
【００３６】
この発明はさらに、広い部屋の外側に面した仕切部に偏光板を用いると共に、この広い部屋の中に浴室を設け、この浴室の広い部屋に面した側の仕切部を前記偏光板と偏光軸を９０°偏位させた偏光板で構成することにより、前記浴室から前記広い部屋の中を見ることができ、前記広い部屋からは前記浴室と外を見ることができるが、外からは前記浴室内を見ることができないように構成したことを特徴とする。
【００３７】
この発明はさらに、部屋の外側に面して浴室を作り、この浴室に面してベランダや坪庭を作り、このベランダや坪庭に外側から仕切る仕切部を設け、前記浴室の前記ベランダや坪庭に面した仕切部と前記ベランダや坪庭の仕切部に偏光軸を９０°偏位させた偏光板を取り付けたことを特徴とする。
【００３８】
この発明はさらに、透明の筒状を呈した容器の外周に偏光軸を異ならせた偏光板を複数段に分けて囲設させ、光の偏光作用により内部に複数の虚の隔壁を生じさせるように構成したことを特徴とする。
【００３９】
この発明はさらに、上記に記載の入れ物を構成するに当たり、当該入れ物を複数個に分けて互いに軸方向へ重ね合わせることにより、虚の隔壁を生じさせるように構成したことを特徴とする。
【００４０】
そして、この発明は、外筒とこの外筒内に収納される内筒とで構成され、前記外筒と前記内筒のそれぞれの外周には、偏光軸を９０°偏位させた偏光板を取り付けたことを特徴とする。
【発明の効果】
【００４１】
請求項１と４乃至５と請求項８のように構成すると、互いに偏光軸を９０°偏位させて成る偏光板が重ならない方向から見た場合には、各偏光板が光を通した各空間側を見ることができるが、各偏光板が重なる方向から見た場合には、各偏光板が重なった側の空間は、光の偏光作用によって見ることができない。
【００４２】
請求項２、６、７及び９のように構成すると、外側から見た時に通路や部屋等に虚の隔壁を見ることができ、通路や部屋等がこの虚の隔壁によって区切られているように見える。
【００４３】
請求項１０と１１のように構成すると、大きな空間を持つ部屋を一つの部屋として使用できた上で、内部に外側より透視できない空間を現出させることができる。
【００４４】
請求項１２と１４のように構成すると、階上に居るスカートをはいた女性が窓際に近づいても、階下に居る人から例えばスカートの中を見られることを防止できる上に、階下の部屋の中に居る人は、外を見ることができるが、日差しは庇と窓際の偏光板によってカットされ日陰になることから、外光と熱の全部或は一部がカットされる。
【００４５】
請求項１３のように構成すると、太陽光のような外光の全部或は一部が部屋の中に入射されるのをカットできることになる。
【００４６】
請求項１５のように構成すると、例えばマンションのベランダにおいてリブガラス板を通して部屋の中を見ることはできないが、ベランダは見通すことができる。
【００４７】
請求項１６のように構成すると、各偏光板の間に設けられた廊下、階段及び特定の部屋に居る人は、各偏光板で仕切られた空間（部屋その他）を見ることができるが、各偏光板が重なる方向の空間（部屋その他）を見ることが出来ない。
【００４８】
請求項３と１７のように構成すると、不思議トンネルの外に居て透明板の側から内部を見る人は、該不思議トンネルの中に虚の隔壁を見ることができる上に、該不思議トンネルの中に居る人も、鏡の中に虚の隔壁を見ることが出来る。
【００４９】
請求項１８のように構成すると、不思議トンネルの外に居て透明板の側から内部を見る人は、光の反射が抑えられることにより、よりはっきりと虚の隔壁を見ることができる。
【００５０】
請求項１９と２０のように構成すると、外から見る人に各ペン立て、或は身飾品のケース体内部に虚の隔壁を見ることができる。
【００５１】
請求項２１のように構成すると、ケース体の中にある球体が虚の隔壁を通して移動するのが見られ興趣を湧かせることができる。
【００５２】
請求項２２のように構成すると、可動偏光板を回転させることにより、部屋の内外が見えたり見えなかったりするので、部屋の使い勝手が良くなるという効果を奏しうる。
【００５３】
請求項２３と２４のように構成すると、偏光軸を４５°とした偏光板或はプラスチック板の部分が透けて見えることになる。
【００５４】
請求項２５のように構成すると、偏光板の部分を黒色ではなく、さまざまな色にすることができ、部屋の色合いと調和させることができる
【００５５】
請求項２６のように構成すると、例えばショウルームやさまざまなものの展示室内を外から見た場合に、外から見られたくないものは見えないようにすることができ、部屋の中に入れば全ての展示物が見ることができるというように、外から見えるものを任意に選択することができる。
【００５６】
請求項２７のように構成すると、抽斗の中身は、内箱を外箱から引き出さないと外からは見えず、引き出すと内箱の中身は該内箱の側部からも見ることができる。
【００５７】
請求項２８のように構成すると、部屋のインテリアとして使用できた上で、居る場所によって部屋の中に見える場所と見えない場所ができ、興味を覚えさせることができる。
【００５８】
請求項２９のように構成すると、大部屋の内と外に居る人にとっては、見える小部屋と見えない小部屋ができることになる。
【００５９】
請求項３０と３１のように構成すると、広い開放的な浴室を外からは見えないように構築することができる。
【００６０】
請求項３２と３３のように構成すると、入れ物の中に複数の虚の隔壁を生じさせることができたり、複数の軸方向に重ねた小さな入れ物で大きな入れ物を構成して内部に虚の隔壁を生じさせることができる。
【００６１】
請求項３４のように構成すると、入れ物の中身は、内筒を外筒から引き出さないと外からは見えず、引き出すと中身を側面から見ることができる。
【００６２】
尚、偏光板としては、ヨウ素や二色性塗料を吸着配向させたポリビニルアルコール（ＰＶＡ）系の偏光子の両面に、セルロース系、ポリ塩化ビニル系、アクリル系、ポリカーボネート系等の透明フィルムやシートから成る透明樹脂被膜を、透明接着剤で貼り合せて成るものが知られているが、このものに限定されない。
【００６３】
また、偏光子の両面にヨウ素を一軸配向させたものが一般的であるが、ランダム配向させたものも、その用途によっては用いることができる。
【００６４】
さらに、以下の各実施例において、偏光板を取り付ける透明板の面積が大きな場合には、１枚の偏光板では足りない場合がある。この場合は、同一の偏光軸を持つ複数枚の偏光板が偏光軸の方向を揃え複数枚用いられることになることは勿論である。
【００６５】
さらに、偏光板は光の振動の一方向の成分のみを通過させるので、一枚のみでも太陽光のような外光が通過するのを阻止されることから、太陽光の熱や紫外線をカットできることになり、これをさまざまな構築物の部屋や廊下等の外に面した窓や戸、或は壁部等に用いることにより、部屋や廊下の中に入る光をカットできることになる。
【００６６】
さらに、虚の隔壁を生じさせる通路、部屋、及びトンネル、身飾品等において、虚の隔壁を生じさせるものが断面矩形状の場合には、対向する２面、主として床部と天井に相当する上下方向の面については、これを黒く塗るか、黒い部材で構成することにより、これらの部分に偏光板を省略できる場合がある。
【発明を実施するための最良の形態】
【００６７】
以下にこの発明の一実施例を図面に基づいて説明する。
【実施例１】
【００６８】
図１において、庭１を挟んで構築された構築物２の窓、戸、壁部等から成る仕切部３に一軸配向させた０°の偏光位相を持つ偏光板４を用い、塀５に同じく一軸配向させた９０°の偏光位相を持つ偏光板６を偏光軸を９０°偏位させて用いる。
【００６９】
より具体的には、窓、戸、壁部等の仕切部３に実施する場合には、偏光板は例えば図２に示したように、合成樹脂製のアクリル板やガラス板等から成る透明板７を用いて、その表面に薄板状の偏光板４や６を貼着するか、或は図３に示したように、アクリル板やガラス板等から成る透明板８ａ，８ｂ等の間に薄板状の偏光板４や６を挟むという方法もある。或は図示してないが透明板の表面に貼着した薄板状の偏光板の表面に透明の樹脂をコーティングするという方法もある。尚、この場合、窓、戸、壁部３等に用いる透明板の面積によっては、偏光軸を揃えた１枚の偏光板では足りない場合が生ずるが、この場合には上述したように、一つの面に偏光軸を一方向に揃えた複数枚の偏光板を平面方向に揃えて取り付け、必要な面積を得ることになる。このことは以下に述べる各実施例において共通である。さらに、偏光板にはシート状のもの、フィルム状のものがあり、上述した薄板状のもの以外に材厚のある板状のものがある。
【００７０】
以下にこの明細書では、アクリル板やガラス板等の透明板に薄板状の偏光板を重ねたもの、及び厚板状単体の偏光板をそれぞれ偏光板といい、フィルム状、シート状のものを偏光シートという。
【００７１】
次に、外構物としての塀５に実施する場合には、該塀５の全部或は一部に、同じく図２に示したように、例えばアクリル板等の合成樹脂製板材やガラス板のような透明板７を用い、その表面に偏光板４とは偏光軸を９０°ずらせた偏光板６を貼着したり、図３に示したように透明板の間に挟んだり、偏光板の表面に透明の樹脂をコーティングするという方法が考えられる。外で使う場合、偏光板は紫外線により劣化してしまうので、紫外線吸収の素材と組み合わせると良い。
【００７２】
このように構成すると、構築物２の中からは、偏光板４が全ての光をカットしないので該偏光板４を介して庭１を見ることができるが、塀５の外は偏光板４と重なる偏光板６によって全ての光がカットされるので、この光の偏光作用により見ることが出来ない。同様に塀５の外からは庭１を偏光板６を介して見ることができるが、構築物２の中は偏光板４によって見ることができない。つまり、庭１の景色を構築物２の中と塀５の外とで共有することができるものである。さらに、庭１からは偏光板４と６を通して構築物２の中や堀５の外側を見ることができる。
【実施例２】
【００７３】
図４はこの発明の他の実施例を示し、図面によれば、２階建て以上の構築物１０の階上のフロアー１１の部分において、窓際に床部の部分から透明の合成樹脂製板或はガラス板を用いた透明板１２を張ってある場合、この透明板１２の表面に偏光板１３を貼着し、この透明板１２に対し外方向へ直角に偏光板１３とは偏光軸を９０°偏位させた偏光板１４を貼着した透明板１５を庇或はガード板１６として張り出させる。さらに階下のフロアー１７の外側にも窓として透明板１８を取り付け、ガード板１６に設置した偏光板１４に対し９０°偏位させた偏光板１９を設置する。
【００７４】
このように構成すると、階上のフロアー１１に居る女性Ａは外側を見渡すことができ、かつ、フロアー１１内へ外光の半分を自由に取り入れることができるが、階下の外に居る人Ｂは、ガード板１６を介してフロアー１１の中及びフロアー１１の中に居て窓際に立っている女性Ａを見ることが出来ない。
【００７５】
よって、階上のフロアー１１に居る女性Ａが、階下からスカートの中を覗き見られることを防止することができるものである。さらに、階下の外に居る人Ｂにとっては、空を見られる開放的な庇と成る上に、階下のフロアー１７の人Ｃにとっては、偏光板１４と偏光板１９によって太陽光（外光）が遮られるため、光と熱を遮る庇となる。
【００７６】
尚、この場合、階上のフロアー１１の透明板１２には、例えば腰から下の部分に偏光板を貼着することにより、設置コストを下げることが出来る。
【００７７】
このような実施例は、例えば図５に示したように、構築物のホール２４のバルコニーや廊下２０に設けた手摺２１の部分に偏光板２２ａを貼着した透明板２２を取り付け、この透明板２２に対して直角方向へ偏光軸９０°偏位させた偏光板２３ａを貼着した透明板２３を設けることによっても同じ作用効果を奏し得る。即ち、１階のフロアー２４ａに居る人Ｄは、バルコニーや廊下２０の手摺側に立つ女性Ｅのスカートの中を見ることができない。
【実施例３】
【００７８】
図６と図７はさらに他の実施例を示す。図６は外部に通ずる階段２５を挟んで構築物としての部屋２６，２７がある場合、各部屋２６と２７の各窓や壁部に透明板２８，２９を用いてその一方の透明板２８に偏光軸を０°とした偏光板３０を用い、もう一方の透明板２９の方に偏光軸を９０°とした偏光板３１を用いる。
【００７９】
図７は廊下３５を挟んで構築物としての部屋３６，３７がある場合、各部屋３６，３７の廊下３５に面した側に設置した透明板３８，３９に偏光板４０，４１を偏光軸を９０°偏位させて取り付ける。
【００８０】
このように実施すると、階段２５や廊下３５を通る人Ｆは、各部屋２６，２７或は３６，３７より見ることができるが、部屋２６，２７或は部屋３６と３７同士の内側は、偏光板３０，３１・４０，４１の偏光作用によってそれぞれの部屋２６，２７或は部屋３６，３７の中に居る人Ｇ，Ｈ及びＩ，Ｊから見ることができない。また、各部屋２６，２７或は３６，３７に居る人Ｇ，Ｈ，Ｉ，Ｊは階段２５や廊下３５を通る人を見ることができる。
【実施例４】
【００８１】
図８はさらに他の実施例を示し、マンションやアパートのように構築物４５の外側に面して透明板４６，４６を用いた各構築物としての部屋４７，４７・・・を並設し、各部屋４７，４７の外側を仕切るのに透明のリブガラス板４８，４８・・・を用いた場合、透明板４６，４６とリブガラス板４８，４８の各々に偏光軸を９０°偏位させた偏光板４９，５０を張ることにより、部屋４７の外に出て隣接する部屋４７の中を見ることができない。
【００８２】
しかし、リブガラス板４８，４８同士は左右の視界を遮られることはないので、開放的でありながら各部屋４７，４７のプライバシーを保つことができるものである。この方式はさまざまな構築物のベランダにも用いることができよう。
【実施例５】
【００８３】
図９乃至図１０はさらに他の実施例を示し、中庭５１や真中の構築物としての部屋５２を挟んで設けた各部屋５３，５４・５５，５６の透明板５３ａ，５４ａ・５５ａ，５６ａから成る仕切りに、偏光軸を９０°偏位させた偏光板５７ａ，５７ｂ・５８ａ，５８ｂを用いると、各部屋５３，５４・５５，５６の中に居る人Ｋ，Ｌ，Ｍ，Ｎからは中庭５１や真中の部屋５２を見ることができ、さらに中庭５１や真中の部屋５２の中に居る人Ｏから各部屋５３，５４・５５，５６内を見ることができるが、各部屋５３と５４及び５５と５６同士の内部は、各部屋５３と５４及び５５と５６から見ることはできない。
【００８４】
つまり、各部屋５３と５４に居る人Ｋ，Ｌは、対向する部屋５３と５４の中に居る人から互いに見られることはなく、中庭５１を見ることができ、例えば真中の部屋５２に居る上司や医者Ｏは、各部屋５５と５６に居る部下や患者Ｍ，Ｎを見ることができるが、部屋５５，５６に居る部下や患者Ｍ，Ｎ同士は互いに見ることができないという関係が生ずる。
【実施例６】
【００８５】
図１１はさらに他の実施例を示す。図面によれば、隣接した道路６０を挟んで並立するビルや一般家庭等の構築物６１，６２の互いに対向する側の窓や透明板を用いた壁部を構成する透明板（図示せず）に、偏光軸を９０°偏位させた偏光板６３，６４を用いると、互いの構築物６１，６２の中を見られることなく、各構築物６１，６２からは外を見ることができるものである。つまり、構築物６１，６２同士の内部のプライバシーを守りつつ外部空間を共有することができるものである。
【００８６】
このような実施例は、例えば図１２に示したように、複数の住宅と店舗６７，６８，６９，７０，７１が連続的に並べられている場合、互いに隣接する、透明板から成る窓や壁部等の各仕切部６７ａ，６８ａ，６９ａ，７０ａに、偏光板７２，７３，７４，７５を偏光軸を９０°偏位させて用いると、住宅６７，６９及び７１は互いに内部を見られることなく、店舗６８，７０の各内部を見ることができるというように構成することもできる。
【実施例７】
【００８７】
図１３はさらに他の実施例を示す。図面によれば、大きな構築物としての部屋７６をそれぞれ偏光軸を９０°偏位させた偏光板７７，７８を取り付けた透明板を用いた複数の可動式の衝立７９を使用して仕切ることにより、この衝立７９で仕切った区画が他の区画から見えたり、見えなかったりすることにより、さまざまなバリエーションを作り出すことができるものである。
【００８８】
さらに、この衝立はこれを複数のパーティションとすることができる。
【実施例８】
【００８９】
図１４はさらに他の実施例を示す。図面によれば、広い空間を有する構築物としての部屋８０内の隔壁を透明板（図示せず）で構成し、それらの隔壁に図示したように偏光軸を０°の偏光板８２aと偏光軸９０°の偏光板８２bを設置する。即ち、太い線で表示したものが偏光軸を０°とする偏光板８２aであり、細い線で表示したものが偏光軸９０°の偏光板８２bである。そしてこの部屋８０の床部と天井は通常の造りであり透明板等は用いない構成である。
【００９０】
このように構成すると、部屋８０内に居る人はＰ、及び偏光軸の異なる偏光板８２aと８２bが重なる方向から見る人は、指示記号８１で示した空間にプライベート性の高い外部より見えない部屋があるように見える。しかし、指示記号８１の部屋に入ると、偏光軸を０°とする偏光板８２aが重なる方向は視界が遮られることないので、開放的な広い空間を認識することになる。つまり部屋８０内において人の居る位置により、空間の見た目の広さが変わる。
【００９１】
尚、この実施例の場合、透明板の隔壁は、固定式のもの以外に移動式、吊下げ式等によって構築しても良い。そして、透明板の隔壁を移動式にした場合には、これをパーティション方式とすることができる。
【実施例９】
【００９２】
図１５はさらに他の実施例を示す。図示してないが、構築物としての部屋８３の床部と天井を透明板で構成し、偏光軸を偏位させた偏光板を設置する。部屋８３の中は、図示したように、同一方向に並べた透明板からなる隔板８３ａで仕切られており、この隔板８３ａに床部と天井に設置した偏光板に対し、９０°偏位させた偏光板（図示せず）を設置する。すると、（イ）と（ハ）の位置に居る人の見る向きから見ると、太線で示した虚の隔壁８４を見ることができるが、（ロ）の位置に居る人の見る向きから見ると、虚の隔壁８４は見ることができない。というように構成することができる。また、この構成の場合（イ）と（ロ）に居る人は偏光軸の異なる偏光板が重なるために互いに見ることができないというように構成できる。尚、床部と天井は、黒色に塗るか黒色の部材にしても同じ効果を奏し得る。このように一つの部屋の中において、人が居る位置によって虚の隔壁が見えたり、見えなかったりし、或は同じ部屋にいる他の人同士が互いに居る位置によって見えたり、見えなかったりすることになる。これは冷暖房を一つにして、部屋の中を自由に仕切ることができるという利点を有することになる。
【実施例１０】
【００９３】
図１６はさらに他の実施例を示す。図面によれば、店舗付き住宅からなる構築物８５の店舗８６の部分と、道路８７との間を仕切る透明な窓や壁部分８８に偏光板８９を設け、店舗８６内のキッチンの部分８６ａの部分を仕切る透明板８６ｂに前記偏光板８９と偏光軸を９０°偏位させた偏光板８９ａを設ける。
【００９４】
このようにして構成すると、店舗８６の中からは道路側８７とキッチンの部分８６ａ内を見ることができ、道路８７の側からは偏光板８９，８９ａを介してキッチンの部分８６ａ内を見ることができない。同様にキッチンの部分８６ａの中からは店舗８６内を見ることができるが、道路８７側を見ることが出来ないということになる。
【００９５】
さらに、リビング、ダイニング８５ａ、個室８５ｂ，８５ｃと順々に偏光軸を９０°偏位させた偏光板（図示せず）を設けていくと、連続的な空間ができ、人の位置により違う部屋のように使うことが出来る。
【実施例１１】
【００９６】
図１７はさらに他の実施例を示す。図面によれば、構築物９０内の外側に面して設けた例えば通路９１の部分の床部９２を黒く塗り、表側の壁部又は窓９３とこの表側に面した壁部又は窓から成る仕切部９３と対向した壁部から成る仕切部９４に透明板を用いて、この各透明板に偏光軸を０°の偏光板９４ａと偏光軸９０°の偏光板９４ｂ（図示せず）を周方向に偏光軸を揃え、長手方向に偏光軸を９０°偏位させた偏光板を交互に取り付ける。さらに、天井（図示せず）の部分にも偏光板を取り付けた透明板を用いる。この際、周方向に設置する各偏光板９４ａ，９４ｂは同じ大きさ、或は同一面積を有するように構成する。各面を構成する偏光板が一枚で足りない場合には、同一方向の偏光軸を有する偏光板を偏光角度を揃えて用いて一つの面とする。以下の実施例でも同じである。
【００９７】
このように構成すると、通路９１を道路９５側から見た場合に、偏光角度０°と９０°の各偏光板９４ａと９４ｂの合わせ目に、虚の隔壁９６が見えるので、外から見る人Ｑには通路９１内に隔壁９６があるように見え、通路９１を通る人Ｒがこの虚の隔壁９６をすり抜けて移動するように見える。
【００９８】
尚、天井（図示せず）の部分に透明板を用いずに黒く塗ることによっても、同じ現象が起きる。この実施例は、通路９１の部分を外から見える部屋としても良い。この場合この部屋は虚の隔壁によって仕切られているように見え、中の人がこの虚の隔壁をすり抜けて移動するのが見えることになる。
【００９９】
さらに、両側の仕切部９３，９４及び天井のどれか一つに鏡を用いてその表面に偏光板を取り付けるように構成しても良い。この場合、中に居る人は、虚の隔壁を鏡の中に見ることができる。
【実施例１２】
【０１００】
図１８と図１９はさらに他の実施例を示す。例えば感覚ミュージアムのような構築物の中に四角形状を呈したトンネル状の構築物（不思議トンネル）１００を作り、その側面の一方の壁部を透明のアクリル板やガラス板等を用いた透明板１０１で構成し、この透明板１０１と対向する壁部を鏡１０２とし、天井に鏡１０３を張る。さらに、床部１０４は黒塗りするか、黒色をした床材を張る。
【０１０１】
そして、透明板１０１と鏡１０２，１０３の部分に１枚或は複数枚で同じ面積となる矩形状を呈した偏光板１０５と１０６をその偏光軸を周方向に一致させると共に、長手方向には偏光軸を互いに９０°偏位させて用いる。
【０１０２】
このように構成すると、互いに偏光軸の異なる各偏光板１０５と１０６の接合部が周方向へ一致するので、このトンネル状の構築物（不思議トンネル）１００の中に居る人Ｔは、各偏光板１０５と１０６の偏光軸が異なる接合部分に、鏡１０２に虚の隔壁１０７が映った虚の隔壁１０７’を見ることができる。構築物１００の外に居る人Ｓからは虚の隔壁１０７と１０７’の両方が見られる。トンネル状の構築物１００の中を歩く人Ｔは、壁部の鏡１０２を見ながら歩くと、自分が虚の隔壁１０７’をすり抜けるのを見ることが出来、外に居る人Ｓは、中を歩いている人Ｔの鏡１０２に写った姿が見えたり、見えなかったりすると同時に、虚の隔壁１０７’を通り抜ける人Ｔの写った姿の身体が切れて一部分だけ見え、他の部分は切れて見えないという現象を目の当たりにすることができる。
【０１０３】
尚、この実施例の場合、単に外から見た場合に虚の隔壁が見えるようにするだけであるならば、壁部の鏡１０２に偏光板を張らなくとも良い。この場合、中に居る人は虚の隔壁を見ることはできない。
【実施例１３】
【０１０４】
図２０と図２１はさらに他の実施例を示す。この実施例のものは、実施例１２のさらに他の実施例を示すもので、実施例１２を構成する材料に偏光を加え、また少し違う見え方を提案するものである。即ち、実施例１２においては、鏡を用いた部分をくもりの半透明のアクリル板１１０，１１１に代え、この半透明のアクリル板１１０，１１１の表面に偏光軸を９０°偏移させた偏光板１１２，１１３を貼着させ、透明のアクリル板１１４にも偏光板１１２，１１３を貼着する。さらに壁部を構成する半透明のアクリル板１１０の裏側に光源１１６を置く。後の構成の床部１１９は実施例１２と同じである。
【０１０５】
このように構成すると、透明のアクリル板１１４の外からトンネル状の構築物１１７内を見る人Ｕは、透明のアクリル板が外側の景色の反射を抑えることができることにより、よりはっきりと解かり易く、見え易い虚の隔壁１１８を見ることができる。
【実施例１４】
【０１０６】
図２２はさらに他の実施例を示す。図面によれば、四角柱状を呈した角筒状のペン立て１２０の各側板１２１，１２２，１２３，１２４はいずれも透明のアクリル板で構成して成り、底部１２５は黒い色をした非透光性のアクリル板で構成してある。そして、各側板１２１，１２２，１２３，１２４の表面には、０°と９０°の偏光軸を持つ同じ大きさの各偏光板１２６と１２７が周方向へ偏光軸を揃えて長手方向には偏光軸を９０°偏位させて貼着してある。勿論、各側板１２１，１２２，１２３，１２４の中に偏光板を挟んでも良い。尚、ペン立てとしては、角筒状に限定されず、他の形状例えば円筒状等どのように形成してもよい。また、この実施例において筒状であればペン立てに限定されず、他の物、例えば、コップ、グラス、花瓶、傘立て、ごみ箱等どのようなものでもよい。
【０１０７】
このように構成すると、外から見た場合に、偏光軸の異なる各偏光板１２６，１２７の接続部分ａに虚の隔壁１２８が生じ、筆記具１２９を立てると当該筆記具１２９が虚の隔壁１２８を貫通しているのが見える。尚、ペン立て１２０の上側から見た場合には虚の隔壁を見ることができない。
【実施例１５】
【０１０８】
図２３はさらに他の実施例を示す。図面によれば、この実施例のものは、実施例１４のものを小型にしてこれをマスコット、或はペンダント１３０として用いるもので、原理は実施例１４のものと同じである。透明のアクリル板で構成した角筒状のケース体１３１には、取付紐１３２が取り付けられており、ペンダントとして使用する場合にはさらに図示してないネックレスリングに取り付けられて首から吊り下げられることになる。そして、ケース体１３１を構成する各側板の周方向に偏光軸の偏光角度を一致させた同じ大きさの偏光板１３４と１３５が、長手方向に偏光軸を９０°偏位させて取り付けてある。
【０１０９】
このように構成すると、実施例１４のものと同じように、各偏光板の偏光軸の角度の異なる接続部ｂに虚の隔壁１３３を見ることができる。この場合にもケース体１３１の長手方向の両側面側から見た場合には、虚の隔壁１３３を見ることはないので、見る人に不思議な印象を与えて興趣を覚えさせるものである。
【実施例１６】
【０１１０】
図２４はさらに他の実施例を示す。図面によれば、底板１３６ａと天板１３６ｂと４方向の側板１３７から成る平面及び断面矩形状を呈した密閉構造のケース体１３８を作り、底板１３６ａと天板１３６ｂ及び各側板１３７を透明板で構成すると共に、ケース体１３８内部を透明板で作った複数の隔板１３９で、内部に収納した球体１４０の通行が可能なように仕切る。
【０１１１】
そして、底板１３６ａ、天板１３６ｂ、各側板１３７、及び各隔板１３９に偏光軸を９０°偏位させた偏光板（図示せず）を設置する。
【０１１２】
このように構成すると、ケース体１３８内に収納した球体１４０は、該ケース体１３８内を転がって移動することができるが、その際にケース体１３８を見る方向によって該ケース体１３８内に偏光板によって複数の虚の隔壁１４１が現出することから、球体１４０がこの虚の隔壁１４１を通過して移動するのが見られ、興趣を湧かせるゲーム玩具とすることができる。
【実施例１７】
【０１１３】
図２５乃至図２６はさらに他の実施例を示す。図面によれば指示記号１４３で示したものは、構築物としての部屋の仕切りを構成する仕切部としての窓を模式的に示したものであり、この窓１４３は偏光軸を異ならせた２枚の例えば円盤状の偏光板１４４，１４５を重ね合わせて構成されている。
【０１１４】
そして、部屋の内側に面した偏光板１４５は回転可能に構成されることにより、可動偏光板となっており、この可動偏光板１４５には、取手１４５aが取り付けられている。尚、偏光板１４４，１４５の双方を回転可能に構成しても良い。また、偏光板の数は実施例に限定されない。例えば図２６に模式的に示したように、仕切部としての窓１４９を２枚の偏光板１４６、１４７と取手１４８a付きの可動偏光板１４８で構成し、この可動偏光板１４８を回転可能に構成しても良い。
【０１１５】
このように構成して、回転可能とした可動偏光板１４５、或は１４８を各取手１４５aや１４８ａを持って回転させると、各偏光板１４４と可動偏光板１４５、或は偏光板１４６、１４７と可動偏光板１４８の光の偏光作用により、部屋の中に居て窓１４３と１４９の向うが見えたり、見えなかったり、或は薄く見えたりするという現象が起きる。このことは同時に、部屋の中から仕切部としての窓１４３，１４９を介して外を見た場合、外光が窓１４３，１４９によって遮られる場合と、遮られない場合と、半分遮られる場合とが生じることになる。
【実施例１８】
【０１１６】
図２７乃至図２８はさらに他の実施例を示す。図面によれば、指示記号１５０で示したものは構築物としての部屋１５４の仕切部を模式的に示したものであり、２枚の偏光軸を９０°偏位させた固定偏光板１５１及び１５２と、この固定偏光板１５１，１５２の間に挟んだ、当該固定偏光板１５１，１５２より小さな可動偏光板１５３とから構成されている。そして、この可動偏光板１５３は偏光軸を４５°偏位させた偏光板を用いている。
【０１１７】
このように構成すると、仕切部１５０は、図２８に示したように、この可動偏光板１５３が位置する部分が透けて見える。或はこの可動偏光板１５３を上下左右に移動可能に構成することにより、透けて見える部分を固定偏光板１５１，１５２の範囲内で移動させることができる。又、可動偏光板１５３のかわりに、セロハンテープ等、光をねじらせるテープでも代用できる。固定偏光板１５１と１５２の間であれば、１５１，１５２にテープを何枚か重ねて貼ることにより、その貼った部分がステンドグラスのようになる。つまり、好みの形の窓を好みの位置につくることができる。
【０１１８】
アクリル板を除く透明の合成樹脂製板は、光の方向がねじれるので、可動偏光板１５３と同じ効果をもたらすことから同じように用いることができる。また、可動偏光板１５３は、必ずしも可動式としなくとも良く、この場合は、この可動偏光板１５３を設置した部分のみが透けて見えることになることは言うまでもない。
【実施例１９】
【０１１９】
図２９はさらに他の実施例を示す。図面によれば、構築物としての部屋１５５を外部から仕切る仕切部１５６を模式的に示したもので、偏光軸を９０°偏位させた偏光板１５７，１５８を重ね合わせて設け、この偏光板１５７、１５８の間に、例えばアクリル板や透明ガラス板のような偏光の効果を妨げない色付きの透明板１５９を挟んである。このように構成すると、色付きの透明板１５９の色を選択することにより、部屋１５５から外を見たとき、黒のみで外からの視界を遮るのではなく、自由な色味にすることができ、設置した部屋１５５の壁１６０や床１６１の色との調和を図ることができる。
【実施例２０】
【０１２０】
図３０はさらに他の実施例を示す。図面によれば、外に面した構築物としての部屋１６４の外部との仕切部（例えば窓）１６５と、この部屋１６４に隣接する同じく構築物としての部屋１６６との仕切り構成する仕切部１６７に、偏光軸を９０°偏位させた偏光板１６８と１６９を設ける。
【０１２１】
このように構成すると、部屋１６６に居る人は、偏光板１６９が黒く見えて外を見ることはできないが、明るい部屋１６４の中を見ることができる。部屋１６４の中には偏光板１６８を介して光が入ってくるので明るいことになる。
【実施例２１】
【０１２２】
図３１乃至図３２はさらに他の実施例を示す。図面によれば、構築物としての部屋１７３の中に偏光軸を９０°偏位させた偏光シート１７０や１７１、或は偏光軸を９０°偏位させた偏光シート１７２ａを２枚上下方向につなぎ合わせた偏光シート１７２をそのまま吊り下げて用いる。
【０１２３】
このように構成すると、とくに図３２に示したように、部屋１７３のインテリアとして用いることができ、部屋の中にいる人は、これらの各偏光シート１７０〜１７２によって、見える場所と見えない場所が生じ、簡単に部屋１７３の中を仕切ることが可能となる。しかも、可動式とすることができる。尚、偏光シート１７２のように、複数枚の偏光シート１７２ａ，１７２ｂを上下に継ぐ場合には、偏光効果を妨げない、例えばブッカーと呼ばれる粘着テープ１７４を用いると良い。以上のような偏光シートは、現在１．３ｍ幅のものをロール状にしたものが市販されている。なお、（現在では）１．３ｍより長い高さにする場合、ロール方向では何ｍでも可能だが、９０°偏位させた場合では、同じ方向のシートを上記方法でつぐことができる。１．３ｍより長い幅にする場合も、これと同様である。
【実施例２２】
【０１２４】
図３３乃至図３４はさらに他の実施例を示す。図面によれば、構築物としての店舗や各種展示室１７５の外部との仕切部１７６と、店舗や各種展示室１７５の中のショーケース１７７や飾り棚１７８等の覆いに、偏光軸を９０°偏位させた偏光板１７９，１８０を用いる。
【０１２５】
このように構成すると、店舗や各種展示室１７５の外から、偏光板１８０で囲われたショーケース１７７や飾り棚１７８の中の展示品を見えないようにするか、或は一部見えるようにすることができ、店舗や各種展示室１７５の中に入ると全てが見えるようにすることができる。
【実施例２３】
【０１２６】
図３５はさらに他の実施例を示す。図面によれば、透明のアクリル樹脂で作った抽斗１８５の外箱１８６と内箱１８７の外周に偏光軸を９０°偏位させた偏光板１８８，１８９を取り付ける。このように構成すると、外箱１８６内に内箱１８７を収納させてある時には、内箱１８７の中味は正面から見ることは出来ても側面から見えないが、内箱１８７を外箱１８６より引き出すと、内箱１８７の中味を側面からも見ることができる。
【実施例２４】
【０１２７】
図３６はさらに他の実施例を示す。図面によれば、偏光板を用いて構築物としての大きな部屋１９５を作り、この部屋１９５の中を偏光板を用いて小さな小部屋１９６ａ〜１９６ｈに仕切る。即ち、図面に示したように、細い線で表示した偏光板１９７同士と、太い線で表示した偏光板１９８同士は、偏光軸が一致している。
【０１２８】
このように構成すると、大きな部屋１９５の外に居る人Ａは、小部屋１９６ｅ〜１９６ｈ内を見ることはできないが、大きな部屋１９５内に居る人Ｂは、各小部屋１９６ａ〜１９６ｈの全てを見ることができる。
【０１２９】
各小部屋１９６ａ〜１９６ｈの中に居る人は、細い線で表示した偏光板１９７同士や太い線で表示した偏光板１９８同士は見ることができるが、細い線で表示した偏光板１９７と太い線で表示した偏光板１９８が重なる方向は見ることができない。即ち、小部屋１９６ａ〜１９６ｄの中に居る人は、外を見ることはできるが、小部屋１９６ｅ〜１９６ｈの中に居る人を見ることはできず、小部屋１９６ｅ〜１９６ｈの中に居る人は、小部屋１９６ａ〜１９６ｄの中に居る人を見ることができず、部屋１９５の外も見ることが出来ないことになる。以上の構成は平面的に構成したものを示したが、断面的に構成することもできる。
【０１３０】
このような実施例は、美術館、オフィス、店、図書館、学校、幼稚園等さまざまな場所に応用して用いることができる。
【０１３１】
そして、上記のように各小部屋を仕切る仕切部は、可動式のパーティション方式にすることにより、さらにさまざまなバリエーションを作り出すことが可能となる。
【実施例２５】
【０１３２】
図３７乃至図３８はさらに他の実施例を示す。図面において図３７によれば、構築物としての広い部屋２００の中に浴室２０１を作り、その仕切部に偏光板２０２を設け、広い部屋２００の仕切部に偏光板２０２とは偏光軸を９０°偏位させた偏光板２０３を用いる。
【０１３３】
このように構成すると、外部から浴室２０１の中を覗かれる心配がなく、部屋２００に居る人は浴室２０１の中も外も見ることができる。また、浴室２０１の中の人は、広い部屋２００の中を見ることができ、広い空間を共有できるので、開放的な浴室となるものである。
【実施例２６】
【０１３４】
そして、図３９は他の実施例を示し、例えば構築物としての都市部のマンションやアパートのようにベランダ付きの集合住宅２０５は、各居室の浴室２０６を外側に面して作っても、ベランダ２０７と浴室２０６との仕切部及びベランダ２０７と外部との仕切部に偏光軸を９０°偏位させた偏光板２０８，２０９を用いることにより、浴室の中の人はベランダにセットした坪庭等を見ながら開放的な気分で入浴ができ、かつこの入浴中の姿をベランダの外側に居る人からのぞき見られる心配がなくなるものである。
【実施例２７】
【０１３５】
図４０乃至図４６は、この発明を入れ物に実施した場合を示す。図４０によれば、例えば透明のアクリル樹脂で成形した丸筒状を呈した入れ物２１０の外周には、これを３段に区切って偏光軸を９０°づつ偏位させた偏光板２１１、２１２、２１３が囲設されている。
【０１３６】
このように構成すると、光の偏光作用により、外側から見た場合に入れ物２１０の中に、各偏光板２１１，２１２，２１３の合わせ目に位置して、虚の隔壁２１４，２１５を見ることができる。しかるに、図４１に示したように、この入れ物２１０の中へ物２１６を入れると、この物によってさえぎられる部分の虚の隔壁は見ることはできない。この中の物を使用して行くと見えるようになる。
【０１３７】
図４２乃至図４３は、小さな入れ物を複数個積み重ねることによって、大きな入れ物を構成させ、その重ね合わせた部分に虚の隔壁を生じさせるもので、図４２に示したように、３個の例えば透明のアクリル樹脂で構成した小さな入れ物２２０、２２１、２２２の各外周に、偏光軸を異ならせた偏光板２２３、２２４、２２５をそれぞれ囲設する。そして、この３個の入れ物２２０，２２１，２２２を図４３に示したように軸方向へ重ね合わせると、大きな入れ物２２６が形成され、この大きな入れ物２２６の中に、各偏光板２２３、２２４、２２５の合わせ目に位置して、虚の隔壁２２７、２２８を見ることができる。
【０１３８】
図４４乃至図４６は、図４２乃至図４３に示した入れ物の重ね合わせ部分の実施例を示す。図４４のものは、小さな入れ物の一方のもの２３０に雄ネジ２３０ａを、他方のもの２３１に雌ネジ２３１ａを切ってつなぎ合わせるもので、真中の入れ物２３１は底も蓋もない貫通形のものを使用している。尚、指示記号２３０ｂと２３１ｂは、偏光板である。図示はしてないが、下の入れ物２３０には底をつけ、一番上の入れ物には蓋をつけるようにすると良いであろう。図４５のものは、底をつけた入れ物２３２，２３３を重ね合わせる場合の実施例を示し、入れ物２３２の上部に雄ネジ２３２ａを設け、上側の入れ物２３３の底２３３ａの下側に雌ネジ２３３ｂを設け、両者をネジ着させるものである。尚、指示記号２３２ｂ、２３３ｃは偏光板である。図示はしてないが、一番上側に位置する入れ物には、蓋をつけても良い。
【０１３９】
図４６のものは、蓋と底付きの入れ物を重ね合わせる場合の実施例を示し、蓋２３５ａを入れ物２３５にネジ着し、この蓋２３５ａを凸型に構成して、この凸部２３５ｂの部分を底２３６ａ付きの入れ物２３６の底部に設けた凹部２３６ｂへ嵌入させて重ね合わせて行くものである。尚、指示記号２３７，２３７ａ，２３８は偏光板である。
【０１４０】
以上の実施例において、重ね合わせる入れ物の数に限定はない。また、重ね合わせ方についても以上の実施例に限定されない。
【実施例２８】
【０１４１】
図４７（ａ），（ｂ），（ｃ）はさらに他の実施例を示す。図面において、透明の例えばアクリル樹脂で構成した外筒２８１と、この外筒２８１内へ収納させる同じく透明の例えばアクリル樹脂から成る内筒２８２とで、円筒形状の入れ物２８０を構成し、外筒２８１の外周と内筒２８２の外周へ偏光軸を９０°偏位させた偏光板２８３，２８４を取り付ける。この際に、外筒２８１の上面と内筒２８２の底面を、例えば黒色をした非透光性のアクリル板２８５，２８６を用いて作ることが好ましい。このように構成すると、（ｂ）図に示したように、外筒２８１内に内筒２８２を収納させてある時には、内筒２８２内に入れてある中味を入れ物２８０の正面、側面及び上面から見ることができないが、（ｃ）図に示したように、内筒２８２を外筒２８１より引き出すと、内筒２８２の中味を正面及び側面から見ることができるものである。外筒２８１を完全に内筒２８２より取り外せば、上面からも内筒２８２の中身を見ることができることはいうまでもない。
【０１４２】
尚、これは以上に説明した全ての実施例に言えることであるが、偏光板の偏光軸の角度については、必ずしも全て９０°偏位させるものに限定されない。４５°と、−４５°を突き合わせても同じ効果が得られる。要は互いに隣接する偏光板の偏光軸の偏位差が互いに９０°となるように組み合わせればよい。
【産業上の利用可能性】
【０１４３】
この発明は、さまざまな構築物や外構物に偏光軸を偏位させた偏光板を組み合わせて用いることにより、当該構築物内部に虚の隔壁を現出させたり、開放的でありながら、プライベートを守る外からは見えない空間を様々な色合いで様々な構築物等へ現出させることができる。また、光や熱を遮ることにより人体や室内環境にも良い影響を及ぼすものである。
【０１４４】
この発明はまた、虚の隔壁が見えるペン立てや身飾品、ゲーム玩具、抽斗等にも利用することができる。
【図面の簡単な説明】
【０１４５】
【図１】この発明を庭を挟んで対置している建物の窓や壁部と塀とに実施した場合の説明図である。
【図２】偏光板の用い方を示す説明図である。
【図３】偏光板のさらに他の用い方を示す説明図である。
【図４】この発明を構築物の階上のフロアーの外部に面した窓や壁に実施した場合の説明図である。
【図５】この発明を構築物の階上のバルコニーや廊下の手摺に実施した場合の説明図である。
【図６】この発明を構築物の階段を挟んで対置している各部屋に実施した場合の説明図である。
【図７】この発明を構築物の廊下を挟んで対置している各部屋に実施した場合の説明図である。
【図８】この発明を構築物の外側に実施した場合の説明図である。
【図９】この発明を構築物の中の中庭を挟んだ各部屋に実施した場合の説明図である。
【図１０】この発明を構築物内に隣接して設けた各部屋に実施した場合の説明図である。
【図１１】この発明を隣接して建設した各構築物同士に実施した場合の説明図である。
【図１２】この発明を複数の店舗付き住宅と一般住宅を連続的に並設したものに実施した場合の説明図である。
【図１３】この発明を大きな部屋の中で実施した場合の説明図である。
【図１４】同じくこの発明を大きな部屋で実施した場合の説明図である。
【図１５】同じくこの発明を大きな部屋で実施した場合の説明図である。
【図１６】この発明を店舗付き住宅に実施した場合の説明図である。
【図１７】この発明を構築物内の外側に面した通路に実施した場合の説明図である。
【図１８】この発明を例えは感覚ミュージアムのような特別な構築物の中に設けた不思議トンネルに実施した場合の説明図である。
【図１９】図１８に示した不思議トンネルを側面から見た場合の説明図である。
【図２０】図１８の不思議トンネルの他の実施例を示す説明図である。
【図２１】図２０に示した不思議トンネルを側面から見た場合の説明図である。
【図２２】この発明をペン立てに実施した場合の斜視図である。
【図２３】この発明をマスコットやペンダントのような身飾品に実施した場合の説明図である。
【図２４】この発明をゲーム玩具に実施した場合を示す説明図である。
【図２５】この発明を他の構築物に実施した場合を示す説明図である。
【図２６】この発明を他の構築物に実施した場合を示す説明図である。
【図２７】この発明を他の構築物に実施した場合を示す説明図である。
【図２８】この発明を他の構築物に実施した場合を示す説明図である。
【図２９】この発明を他の構築物に実施した場合を示す説明図である。
【図３０】この発明を他の構築物に実施した場合を示す説明図である。
【図３１】この発明を他の構築物に実施した場合を示す説明図である。
【図３２】この発明を他の構築物に実施した場合を示す説明図である。
【図３３】この発明を他の構築物に実施した場合を示す説明図である。
【図３４】この発明を他の構築物に実施した場合を示す説明図である。
【図３５】この発明を抽斗に実施した場合を示す説明図である。
【図３６】この発明を他の構築物に実施した場合を示す説明図である。
【図３７】この発明を他の構築物に実施した場合を示す説明図である。
【図３８】この発明を他の構築物に実施した場合を示す説明図である。
【図３９】この発明を他の構築物に実施した場合を示す説明図である。
【図４０】この発明を入れ物に実施した場合の説明図である。
【図４１】この発明を入れ物に実施した場合の説明図である。
【図４２】この発明をさらに他の構成の入れ物に実施した場合の説明図である。
【図４３】この発明をさらに他の構成の入れ物に実施した場合の説明図である。
【図４４】図４２と図４３に示した入れ物の接続例を示す説明図である。
【図４５】図４２と図４３に示した入れ物の接続例を示す説明図である。
【図４６】図４２と図４３に示した入れ物の接続例を示す説明図である。
【図４７】この発明を入れ物に実施した場合の説明図である。
【符号の説明】
【０１４６】
１      庭
２，１０，２４，４５，６１，６２，７６，８０，８３，８５，９０，１７５，１９５，  ２００，２０５        構築物
３，６７ａ，６８ａ，６９ａ，７０ａ，９３，９４，１４３，１４９，１５０，１５６，  １６０，１６５，１６７，１７６        仕切部（窓、戸、壁部）
４，６，１３，１４，１９，２２ａ，２３ａ，３０，３１，４０，４１，４９，５０，
５７ａ，５７ｂ，５８ａ，５８ｂ，６３，６４，７２，７３，７４，７５，７７，７８，
８２ａ，８２ｂ，８９，８９ａ，９４ａ，９４ｂ，１０５，１０６，１１２，１１３，
１２６，１２７，１３４，１３５，１４４，１４５，１４６，１４７，１４８，１５１，
１５２，１５３，１５７，１５８，１６８，１６９，１７９，１８０，１８８，１８９，
１９７，１９８，２０２，２０３，２０８，２０９，２１１，２１２，２１３，２２３，
２２４，２２５２３０ｂ，２３１ｂ，２３２ｂ，２３３ｃ，２３７，２３７ａ，２３８，
２８３，２８４      偏光板
５        塀
７，８ａ，８ｂ，１２，１５，１８，２２，２３，２８，２９，３８，３９，４６，
５３ａ，５４ａ，５５ａ，５６ａ，８６ｂ，８８，１０１，１１４，１２１，１２２，
１２３，１２４，１３６，１３７        透明板
１６      ガード板（庇）
２１      手摺
２５      階段
２６，２７，３６，３７，４７，５２，５３，５４，５５，５６，８１，８５ａ，
８５ｂ，８５ｃ，１５４，１５５，１６４，１６６，１７３，１９６      部屋
４８      リブガラス板
５１      中庭
７９      衝立
８４，９６，１０７，１０７’，１１８，１２８，１３３，１４１，２１４，２１５，
２２７，２２８      虚の隔壁
９１      通路
９２，１０４，１１９，１６１，２３３ａ，２３６ａ      床部
１００，１１７      トンネル状構築物
１０２，１０３      鏡
１１０，１１１      半透明板
１１６      光源
１２０      ペン立
１２９      筆記具
１３０      マスコット等
１３１，１３８      ケース体
１３２      取付紐
１５９      色つき透明板
１７０，１７１，１７２      偏光シート
１７７，１７８      ショーケース飾り棚
１８５      抽斗
１８６      外箱
１８７      内箱
２０１，２０６      浴室
２１０，２２６      大きな入れ物
２２０，２２１，２２２，２３０，２３１，２３２，２３３，２３５，２３６，
２８０      入れ物
２８１      外筒
２８２      内筒
【図１】
2006037707.tif 000003
【図２】
2006037707.tif 000004
【図３】
2006037707.tif 000005
【図４】
2006037707.tif 000006
【図５】
2006037707.tif 000007
【図６】
2006037707.tif 000008
【図７】
2006037707.tif 000009
【図８】
2006037707.tif 000010
【図９】
2006037707.tif 000011
【図１０】
2006037707.tif 000012
【図１１】
2006037707.tif 000013
【図１２】
2006037707.tif 000014
【図１３】
2006037707.tif 000015
【図１４】
2006037707.tif 000016
【図１５】
2006037707.tif 000017
【図１６】
2006037707.tif 000018
【図１７】
2006037707.tif 000019
【図１８】
2006037707.tif 000020
【図１９】
2006037707.tif 000021
【図２０】
2006037707.tif 000022
【図２１】
2006037707.tif 000023
【図２２】
2006037707.tif 000024
【図２３】
2006037707.tif 000025
【図２４】
2006037707.tif 000026
【図２５】
2006037707.tif 000027
【図２６】
2006037707.tif 000028
【図２７】
2006037707.tif 000029
【図２８】
2006037707.tif 000030
【図２９】
2006037707.tif 000031
【図３０】
2006037707.tif 000032
【図３１】
2006037707.tif 000033
【図３２】
2006037707.tif 000034
【図３３】
2006037707.tif 000035
【図３４】
2006037707.tif 000036
【図３５】
2006037707.tif 000037
【図３６】
2006037707.tif 000038
【図３７】
2006037707.tif 000039
【図３８】
2006037707.tif 000040
【図３９】
2006037707.tif 000041
【図４０】
2006037707.tif 000042
【図４１】
2006037707.tif 000043
【図４２】
2006037707.tif 000044
【図４３】
2006037707.tif 000045
【図４４】
2006037707.tif 000046
【図４５】
2006037707.tif 000047
【図４６】
2006037707.tif 000048
【図４７】
2006037707.tif 000049